【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
紙文書の読取処理を実行するための指示内容が定義されているスキャンチケットを管理する第１の管理装置と、当該スキャンチケットと対応する読取処理により読み取られた紙文書の画像の送信先が定義されている送信チケットを管理する第２の装置と通信可能に接続される画像処理装置であって、
所定のユーザに前記読取処理を行わせるべく、紙文書の読取処理を実行する際の読取設定情報と、前記読取処理で読み取られた紙文書の画像を送信する送信先の認証情報を含む送信設定情報を入力する入力手段と、
前記入力手段による入力に従って、前記他のユーザが紙文書の読み取りを実行する際に用いられる、前記送信設定情報を含まず前記読取設定情報を含むスキャンチケットの生成要求を前記第１の管理装置に送信する第１の生成要求手段と、
前記入力手段による入力に従って、前記生成要求に従って生成されたスキャンチケットを用いて読み取られた紙文書の画像を送信する際に用いられる、前記送信設定情報を含む送信チケットの生成要求を前記第２の管理装置に送信する第２の生成要求手段と、
前記第１の管理装置より取得した前記生成要求に従って生成されたスキャンチケットを取得するスキャンチケット取得手段と、
前記スキャンチケット取得手段により取得したスキャンチケットを用いて紙文書の読取処理を行い、前記スキャンチケットに対応し、前記第２の管理装置で管理されている送信チケットの認証情報を用いて前記第２の管理装置の所定の送信先に送信するように、前記読取処理により得られた画像を前記第１の管理装置へ送信する画像送信手段と
を備えることを特徴とする画像処理装置。
【請求項２】
蓄積された印刷ジョブの一覧から処理する印刷ジョブを指定する指定手段と、
前記指定手段で指定された印刷ジョブに印刷に関する指示がされたか否かを判定する指示判定手段と
を備え、
前記第１の生成要求手段は、前記指示判定手段により指定された印刷ジョブに印刷に関する指示がされたと判定された場合に、前記第１の管理装置に前記スキャンチケットの生成要求をし、
前記第２の生成要求手段は、前記指示判定手段により指定された印刷ジョブに印刷に関する指示がされたと判定された場合に、前記第２の管理装置に前記送信チケットの生成要求をする
ことを特徴とする請求項１に記載の画像処理装置。
【請求項３】
前記指示判定手段は、転送指示があったか否かを判定し、
前記転送指示があった場合には、前記指定された印刷ジョブを転送するユーザを指定する転送ユーザ指定手段と、
前記指定された印刷ジョブを前記転送ユーザ指定手段により指定されたユーザが印刷可能とするべく、前記転送するユーザを出力するユーザ出力手段と
を更に備えることを特徴とする請求項２に記載の画像処理装置。
【請求項４】
前記前記指示判定手段は、印刷指示があったか否かを判定し、
前記印刷指示があった場合には、前記指定された印刷ジョブに対応するスキャンチケットを利用可能にするべく、前記第１の管理装置にスキャンチケットを特定可能な前記印刷ジョブに対応する識別情報を送信する識別情報送信手段を更に備えることを特徴とする請求項２又は３に記載の画像処理装置。
【請求項５】
前記第２の管理装置は、クライアント端末であり、前記送信先は、クライアント端末の共有フォルダであることを特徴とする請求項１乃至４のいずれか１項に記載の画像処理装置。
【請求項６】
紙文書の読取処理を実行するための指示内容が定義されているスキャンチケットを管理する第１の管理装置と、当該スキャンチケットと対応する読取処理により読み取られた紙文書の画像の送信先が定義されている送信チケットを管理する第２の装置と、読取処理を実行する画像処理装置とを含む画像処理システムであって、
前記画像処理装置は、
所定のユーザに前記読取処理を行わせるべく、紙文書の読取処理を実行する際の読取設定情報と、前記読取処理で読み取られた紙文書の画像を送信する送信先の認証情報を含む送信設定情報を入力する入力手段と、
前記入力手段による入力に従って、前記他のユーザが紙文書の読み取りを実行する際に用いられる、前記送信設定情報を含まず前記読取設定情報を含むスキャンチケットの生成要求を前記第１の管理装置に送信する第１の生成要求手段と、
前記入力手段による入力に従って、前記生成要求に従って生成されたスキャンチケットを用いて読み取られた紙文書の画像を送信する際に用いられる、前記送信設定情報を含む送信チケットの生成要求を前記第２の管理装置に送信する第２の生成要求手段と、
前記第１の管理装置より取得した前記生成要求に従って生成されたスキャンチケットを取得するスキャンチケット取得手段と、
前記スキャンチケット取得手段により取得したスキャンチケットを用いて紙文書の読取処理を行い、前記スキャンチケットに対応し、前記第２の管理装置で管理されている送信チケットの認証情報を用いて前記第２の管理装置の所定の送信先に送信するように、前記読取処理により得られた画像を前記第１の管理装置へ送信する画像送信手段と
を備え、
前記第１の管理装置は、
前記画像処理装置からのスキャンチケット生成の要求に従って、紙文書の読取処理を実行するためのスキャンチケットを前記読取設定情報に従って生成する第１の生成手段
を備え、
前記第２の管理装置は、
前記画像処理装置からの送信チケット生成の要求に従って、前記スキャンチケットに対応する送信チケットを前記送信設定情報に従って生成する第２の生成手段
を備えることを特徴とする画像処理システム。
【請求項７】
紙文書の読取処理を実行するための指示内容が定義されているスキャンチケットを管理する第１の管理装置と、当該スキャンチケットと対応する読取処理により読み取られた紙文書の画像の送信先が定義されている送信チケットを管理する第２の装置と通信可能に接続される画像処理装置の処理方法であって、
前記画像処理装置が、
所定のユーザに前記読取処理を行わせるべく、紙文書の読取処理を実行する際の読取設定情報と、前記読取処理で読み取られた紙文書の画像を送信する送信先の認証情報を含む送信設定情報を入力する入力ステップと、
前記入力ステップによる入力に従って、前記他のユーザが紙文書の読み取りを実行する際に用いられる、前記送信設定情報を含まず前記読取設定情報を含むスキャンチケットの生成要求を前記第１の管理装置に送信する第１の生成要求ステップと、
前記入力ステップによる入力に従って、前記生成要求に従って生成されたスキャンチケットを用いて読み取られた紙文書の画像を送信する際に用いられる、前記送信設定情報を含む送信チケットの生成要求を前記第２の管理装置に送信する第２の生成要求ステップと、
前記第１の管理装置より取得した前記生成要求に従って生成されたスキャンチケットを取得するスキャンチケット取得ステップと、
前記スキャンチケット取得ステップにより取得したスキャンチケットを用いて紙文書の読取処理を行い、前記スキャンチケットに対応し、前記第２の管理装置で管理されている送信チケットの認証情報を用いて前記第２の管理装置の所定の送信先に送信するように、前記読取処理により得られた画像を前記第１の管理装置へ送信する画像送信ステップと
を実行することを特徴とする処理方法。
【請求項８】
紙文書の読取処理を実行するための指示内容が定義されているスキャンチケットを管理する第１の管理装置と、当該スキャンチケットと対応する読取処理により読み取られた紙文書の画像の送信先が定義されている送信チケットを管理する第２の装置と、読取処理を実行する画像処理装置とを含む画像処理システムの処理方法であって、
前記画像処理装置が、
所定のユーザに前記読取処理を行わせるべく、紙文書の読取処理を実行する際の読取設定情報と、前記読取処理で読み取られた紙文書の画像を送信する送信先の認証情報を含む送信設定情報を入力する入力ステップと、
前記入力ステップによる入力に従って、前記他のユーザが紙文書の読み取りを実行する際に用いられる、前記送信設定情報を含まず前記読取設定情報を含むスキャンチケットの生成要求を前記第１の管理装置に送信する第１の生成要求ステップと、
前記入力ステップによる入力に従って、前記生成要求に従って生成されたスキャンチケットを用いて読み取られた紙文書の画像を送信する際に用いられる、前記送信設定情報を含む送信チケットの生成要求を前記第２の管理装置に送信する第２の生成要求ステップと、
前記第１の管理装置より取得した前記生成要求に従って生成されたスキャンチケットを取得するスキャンチケット取得ステップと、
前記スキャンチケット取得ステップにより取得したスキャンチケットを用いて紙文書の読取処理を行い、前記スキャンチケットに対応し、前記第２の管理装置で管理されている送信チケットの認証情報を用いて前記第２の管理装置の所定の送信先に送信するように、前記読取処理により得られた画像を前記第１の管理装置へ送信する画像送信ステップと
を実行し、
前記第１の管理装置が、
前記画像処理装置からのスキャンチケット生成の要求に従って、紙文書の読取処理を実行するためのスキャンチケットを前記読取設定情報に従って生成する第１の生成ステップを実行し
前記第２の管理装置が、
前記画像処理装置からの送信チケット生成の要求に従って、前記スキャンチケットに対応する送信チケットを前記送信設定情報に従って生成する第２の生成ステップ
を実行することを特徴とする処理方法。
【請求項９】
紙文書の読取処理を実行するための指示内容が定義されているスキャンチケットを管理する第１の管理装置と、当該スキャンチケットと対応する読取処理により読み取られた紙文書の画像の送信先が定義されている送信チケットを管理する第２の装置と通信可能に接続される画像処理装置で実行可能なプログラムであって、
前記画像処理装置を、
所定のユーザに前記読取処理を行わせるべく、紙文書の読取処理を実行する際の読取設定情報と、前記読取処理で読み取られた紙文書の画像を送信する送信先の認証情報を含む送信設定情報を入力する入力手段と、
前記入力手段による入力に従って、前記他のユーザが紙文書の読み取りを実行する際に用いられる、前記送信設定情報を含まず前記読取設定情報を含むスキャンチケットの生成要求を前記第１の管理装置に送信する第１の生成要求手段と、
前記入力手段による入力に従って、前記生成要求に従って生成されたスキャンチケットを用いて読み取られた紙文書の画像を送信する際に用いられる、前記送信設定情報を含む送信チケットの生成要求を前記第２の管理装置に送信する第２の生成要求手段と、
前記第１の管理装置より取得した前記生成要求に従って生成されたスキャンチケットを取得するスキャンチケット取得手段と、
前記スキャンチケット取得手段により取得したスキャンチケットを用いて紙文書の読取処理を行い、前記スキャンチケットに対応し、前記第２の管理装置で管理されている送信チケットの認証情報を用いて前記第２の管理装置の所定の送信先に送信するように、前記読取処理により得られた画像を前記第１の管理装置へ送信する画像送信手段
として機能させることを特徴とするプログラム。
【請求項１０】
紙文書の読取処理を実行するための指示内容が定義されているスキャンチケットを管理する第１の管理装置と、当該スキャンチケットと対応する読取処理により読み取られた紙文書の画像の送信先が定義されている送信チケットを管理する第２の装置と、読取処理を実行する画像処理装置とを含む画像処理システムで実行可能なプログラムであって、
前記画像処理装置を、
所定のユーザに前記読取処理を行わせるべく、紙文書の読取処理を実行する際の読取設定情報と、前記読取処理で読み取られた紙文書の画像を送信する送信先の認証情報を含む送信設定情報を入力する入力手段と、
前記入力手段による入力に従って、前記他のユーザが紙文書の読み取りを実行する際に用いられる、前記送信設定情報を含まず前記読取設定情報を含むスキャンチケットの生成要求を前記第１の管理装置に送信する第１の生成要求手段と、
前記入力手段による入力に従って、前記生成要求に従って生成されたスキャンチケットを用いて読み取られた紙文書の画像を送信する際に用いられる、前記送信設定情報を含む送信チケットの生成要求を前記第２の管理装置に送信する第２の生成要求手段と、
前記第１の管理装置より取得した前記生成要求に従って生成されたスキャンチケットを取得するスキャンチケット取得手段と、
前記スキャンチケット取得手段により取得したスキャンチケットを用いて紙文書の読取処理を行い、前記スキャンチケットに対応し、前記第２の管理装置で管理されている送信チケットの認証情報を用いて前記第２の管理装置の所定の送信先に送信するように、前記読取処理により得られた画像を前記第１の管理装置へ送信する画像送信手段として機能させ、
前記第１の管理装置を、
前記画像処理装置からのスキャンチケット生成の要求に従って、紙文書の読取処理を実行するためのスキャンチケットを前記読取設定情報に従って生成する第１の生成手段として機能させ、
前記第２の管理装置を、
前記画像処理装置からの送信チケット生成の要求に従って、前記スキャンチケットに対応する送信チケットを前記送信設定情報に従って生成する第２の生成手段
として機能させることを特徴とするプログラム。
【手続補正２】
【補正対象書類名】明細書
【補正対象項目名】発明の名称
【補正方法】変更
【補正の内容】
【発明の名称】画像処理装置、画像処理システムと、その処理方法、およびそのプログラム
【手続補正３】
【補正対象書類名】明細書
【補正対象項目名】０００１
【補正方法】変更
【補正の内容】
【０００１】
画像処理装置、画像処理システムと、その画像処理方法、およびそのプログラムに関し、特に、スキャンチケットを用いることにより読み取り処理が容易に実行できる画像処理装置、画像処理システムと、その画像処理方法、およびそのプログラムに関する。
【手続補正４】
【補正対象書類名】明細書
【補正対象項目名】００１２
【補正方法】変更
【補正の内容】
【００１２】
そこで、本発明の目的は、所定のユーザに読取処理を行わせる場合に、紙文書の読取処理を実行する際の読取設定情報を含むスキャンチケットと、読取処理で読み取られた紙文書の画像を送信するための送信先の認証情報を含む送信チケットを生成させることで、スキャンチケットを用いた読取処理で得られる画像の送信についてセキュリティを考慮した送信を行うことができる仕組みを提供することである。
【手続補正５】
【補正対象書類名】明細書
【補正対象項目名】００１３
【補正方法】変更
【補正の内容】
【００１３】
本発明の目的を達成するために、紙文書の読取処理を実行するための指示内容が定義されているスキャンチケットを管理する第１の管理装置と、当該スキャンチケットと対応する読取処理により読み取られた紙文書の画像の送信先が定義されている送信チケットを管理する第２の装置と通信可能に接続される画像処理装置であって、所定のユーザに前記読取処理を行わせるべく、紙文書の読取処理を実行する際の読取設定情報と、前記読取処理で読み取られた紙文書の画像を送信する送信先の認証情報を含む送信設定情報を入力する入力手段と、前記入力手段による入力に従って、前記他のユーザが紙文書の読み取りを実行する際に用いられる、前記送信設定情報を含まず前記読取設定情報を含むスキャンチケットの生成要求を前記第１の管理装置に送信する第１の生成要求手段と、前記入力手段による入力に従って、前記生成要求に従って生成されたスキャンチケットを用いて読み取られた紙文書の画像を送信する際に用いられる、前記送信設定情報を含む送信チケットの生成要求を前記第２の管理装置に送信する第２の生成要求手段と、前記第１の管理装置より取得した前記生成要求に従って生成されたスキャンチケットを取得するスキャンチケット取得手段と、前記スキャンチケット取得手段により取得したスキャンチケットを用いて紙文書の読取処理を行い、前記スキャンチケットに対応し、前記第２の管理装置で管理されている送信チケットの認証情報を用いて前記第２の管理装置の所定の送信先に送信するように、前記読取処理により得られた画像を前記第１の管理装置へ送信する画像送信手段とを備えることを特徴とする。
【手続補正６】
【補正対象書類名】明細書
【補正対象項目名】００１４
【補正方法】変更
【補正の内容】
【００１４】
本願の発明によれば、所定のユーザに読取処理を行わせる場合に、紙文書の読取処理を実行する際の読取設定情報を含むスキャンチケットと、読取処理で読み取られた紙文書の画像を送信するための送信先の認証情報を含む送信チケットを生成させることで、スキャンチケットを用いた読取処理で得られる画像の送信についてセキュリティを考慮した送信を行うことができる。